(57)【要約】【課題】庫内のスペースを有効活用することのできるショーケースを提供する。【解決手段】庫内３に設けられる複数の棚板７と、前面に開口する開口部と、を備えるショーケースであって、前記庫内３に、任意の高さ位置に昇降する商品収納部５０を有した昇降棚２３を備えた。【選択図】図１
2020130196.tif 000002
【特許請求の範囲】
【請求項１】
庫内に設けられる複数の棚板と、前面に開口する開口部と、を備えるショーケースであって、
前記庫内に、任意の高さ位置に昇降する商品収納部を有した昇降棚を備えたことを特徴とするショーケース。
【請求項２】
前記昇降棚は、前記庫内に収容されたとき、前記棚板の上に設けられていることを特徴とする請求項１に記載のショーケース。
【請求項３】
前記棚板は、最上段の棚板であり、
前記昇降棚は、前方に移動しつつ下降するように引き出し可能とされていることを特徴とする請求項２に記載のショーケース。
【請求項４】
前記庫内の背面を形成する背面板に設けられる孔部に固定され、前記庫内の前後に延びるブラケットを備え、
前記昇降棚は、前記ブラケットに固定されていることを特徴とする請求項１から請求項３の何れか一項に記載のショーケース。
【請求項５】
前記最上段の棚板は、前記ブラケットの下部に固定されていることを特徴とする請求項４に記載のショーケース。
【請求項６】
前記昇降棚は、前後方向に移動しつつ昇降可能な前記商品収納部と、前記商品収納部を前記最上段の棚板の上に収容したときに前記商品収納部を支える台座と、前記商品収納部を前記台座に収容したときに前記商品収納部と前記台座とをロックするロック機構と、を備えることを特徴とする請求項３から請求項５の何れか一項に記載のショーケース。
【発明の詳細な説明】
【技術分野】
【０００１】
本発明は、ショーケースに関する。
【背景技術】
【０００２】
一般に、都市型スーパー、コンビニエンスストア等において使用されるショーケースが知られている。この種のショーケースでは、庫内に複数の棚板が設けられており、各棚板には、それぞれ商品が収容可能とされているものがある（例えば、特許文献１を参照）。
【先行技術文献】
【特許文献】
【０００３】
【特許文献１】特開２０１７−１２７３５５号公報
【発明の概要】
【発明が解決しようとする課題】
【０００４】
しかしながら、上段や下段の棚板には、例えば商品補充作業を行う際に作業者の手が届きにくい場合があり、また例えば顧客にとって商品を取り出しにくい場合があり、庫内のスペースを有効活用し商品の販売効率を向上させるためには、未だ改善の余地があった。
本発明は、上述した事情に鑑みてなされたものであり、庫内のスペースを有効活用することのできるショーケースを提供することを目的とする。
【課題を解決するための手段】
【０００５】
上記目的を達成するために、本発明は、庫内に設けられる複数の棚板と、前面に開口する開口部と、を備えるショーケースであって、前記庫内に、任意の高さ位置に昇降する商品収納部を有した昇降棚を備えたことを特徴とする。
【発明の効果】
【０００６】
本発明によれば、庫内のスペースを有効活用することが困難な箇所に昇降棚を設け、昇降棚を昇降させつつ庫内の前方に引き出すことにより、庫内スペースを有効活用することが可能となる。
【図面の簡単な説明】
【０００７】
【図１】本発明の実施形態に係るショーケースの正面図
【図２】ショーケースの縦断面図
【図３】昇降棚の正面図
【図４】昇降棚の側面図
【図５】支持部材の分解斜視図
【発明を実施するための形態】
【０００８】
第１の発明におけるショーケースは、庫内に設けられる複数の棚板と、前面に開口する開口部と、を備えるショーケースであって、前記庫内に、任意の高さ位置に昇降する商品収納部を有した昇降棚を備えたことを特徴とする。
この発明によれば、庫内のスペースを有効活用することが困難な箇所に昇降棚を設け、昇降棚を昇降させつつ庫内の前方に引き出すことにより、庫内スペースを有効活用することが可能となる。また、前記昇降棚の少なくとも一部が前記開口部より外に露出する構成としても良い。
【０００９】
第２の発明におけるショーケースは、第１の発明において、前記昇降棚は、前記庫内に収容されたとき、前記棚板の上に設けられていることを特徴とする。
この発明によれば、昇降棚は、庫内に収容されたときに棚板の上に設けられるので、昇降棚を安定した状態で庫内に収容できる。
【００１０】
第３の発明におけるショーケースは、第２の発明において、前記棚板は、最上段の棚板であり、前記昇降棚は、前方に移動しつつ下降するように引き出し可能とされていることを特徴とする。
例えばショーケースの庫内であって高さの高い部分に設けられる最上段の棚板に作業者が商品補充作業を行う場合や、消費者が商品を取り出す場合には、棚の奥まで手が届きにくく当該スペースを有効活用することが困難な場合がある。
この発明によれば、庫内に収容されたときに最上段の棚板の上に設けられる昇降棚を前方に引出しつつ下降させるため、昇降棚を使用勝手の良い位置に配置可能となり、昇降棚に作業者が商品を補充する作業や、消費者が商品を取り出す行為が容易となり、庫内スペースを有効活用できる。
【００１１】
第４の発明におけるショーケースは、第１の発明から第３の発明の何れかにおいて、前記庫内の背面を形成する背面板に設けられる孔部に固定され、前記庫内の前後に延びるブラケットを備え、前記昇降棚は、前記ブラケットに固定されていることを特徴とする。
この発明によれば、ショーケースの側壁に固定せずとも昇降棚を庫内に設けることができるため、例えば観音開き扉のショーケースなど、複数の扉を備えるショーケースのように棚板に側壁が必ずしも隣接しないショーケースであっても、庫内に昇降棚を設けることができる。
【００１２】
第５の発明におけるショーケースは、第４の発明において、前記最上段の棚板は、前記ブラケットの下部に固定されていることを特徴とする。
この発明によれば、最上段の棚板はブラケットの下部に固定されることから、ブラケットは、最上段の棚板より上方に配置される。そのため、昇降棚とブラケットとを固定するスペースを、最上段の棚板より上方に要することなる。すなわち、最上段の棚板より下方に昇降棚とブラケットとを固定するスペースを要しないことから、最上段の棚板より下方の商品を収納しやすい適切な高さのスペースを広く確保することができる。
【００１３】
第６の発明におけるショーケースは、第３の発明から第５の発明の何れかにおいて、前記昇降棚は、前後方向に移動しつつ昇降可能な商品収納部と、前記商品収納部を前記最上段の棚板の上に収容したときに前記商品収納部を支える台座と、前記商品収納部を前記台座に収容したときに前記商品収納部と前記台座とをロックするロック機構と、を備える。
この発明によれば、商品収納部を庫内に収容したときには、商品収納部と台座とがロック機構によりロックされるので、昇降棚を安定して庫内に収容できる。
【００１４】
以下、本発明の実施の形態について、図面を参照しながら説明する。なお、本実施の形態によって本発明が限定されるものではない。
【００１５】
図１は、ショーケース１の正面図である。図２は、ショーケース１の縦断面図である。図１におけるショーケース１の正面図を基準として、左側を左、右側を右、手前側を前、奥側を後ろと定義する。
図１及び図２に示すショーケース１は、スーパーマーケットやコンビニエンスストア等の店舗に設置されて冷凍食品や冷蔵食品等の商品を冷却しながら陳列するクローズドタイプの冷凍（冷蔵）ショーケースである。ショーケース１は、上下の断熱壁２Ａ、断熱壁２Ｂ、左右の断熱壁２Ｃ、断熱壁２Ｄ及び背面の断熱壁２Ｅから構成された、前面が開口した箱状の本体２と、この本体２内に構成された庫内３と、前面に開口する開口部４と、開口部４を開閉自在に閉塞する透視可能な扉装置６と、を備える。庫内３の内部には複数段の棚板７が架設され、各棚板７上に冷凍食品や冷菓等の商品が陳列される。
【００１６】
本体２の内側には、図２に示すように、間隔を存して仕切板８が取り付けられている。庫内３は、この仕切板８の内側に配置される。仕切板８の外側には、冷気ダクト９が備えられる。そして、底部の冷気ダクト９Ａ内に、冷却装置Ｒの冷却器１１と送風機１２が設置されている。この冷却器１１と熱交換した冷気は、送風機１２により冷気ダクト９を介し、開口部４上縁の吐出口１３より庫内３の内部に吐出し、下縁の吸込口１４から吸い込まれ、庫内３の内部に循環されている。
仕切板８であって、庫内３の背面部分は、庫内３の背面板として機能している。
【００１７】
本体２には扉装置６が設けられている。
図１において、扉装置６は向かって右側に位置する第１の透明扉１８と、第１の透明扉１８と並んで左側に位置する第２の透明扉１９と、から構成されている。第１の透明扉１８及び第２の透明扉１９は、通常の観音開き式のガラス扉と同様の構造である。１６は、取っ手である。
ただし、第１の透明扉１８および第２の透明扉１９の開き方向は変更が可能なため、必ずしも観音開き式とする必要は無く、例えば第１の透明扉１８または第２の透明扉１９のいずれか一方の回転軸をショーケース１の中央に配置して、第１の透明扉１８および第２の透明扉１９を同じ回転方向に開く（閉める）構成としても良い。
【００１８】
本実施形態では、最上段の棚板２１に、昇降棚２３が取り付けられている。昇降棚２３は、図２に示すように、庫内３の内部に位置するときには最上段の棚板２１の上に載置されている。昇降棚２３の一部である商品収納部５０は、庫内３の外側に引き出すとともに、高さ方向の位置を下げることが可能である。この昇降動作によって定まる商品収納部５０の高さ位置は、商品収納部５０の構造（大きさ、形状など）、あるいは後述する支持部材３３の構造などによって任意の高さに調整することができる。
本実施形態では、第２の透明扉１９を開いて昇降棚２３（商品収納部５０）が開口部４から庫内３の外側に引き出されたとき、昇降棚２３の前半分（一部）が開口部４から外に出て、後半分が庫内３の内部であって真下の棚板７の前方に位置する。
【００１９】
図３は、昇降棚２３の支持構造を示す正面図である。図４は、昇降棚２３の支持構造を示す側面図である。
図３に示すように、昇降棚２３は、前方に移動しつつ下降するように引き出し可能な商品収納部５０と、商品収納部５０を最上段の棚板２１の上に収容したときに商品収納部５０を支える台座５１と、を備える。台座５１は、最上段の棚板２１の上に配置される。このように、通常の棚板としても使用可能な最上段の棚板２１を備え、この最上段の棚板２１の上に台座５１及び商品収納部５０、すなわち昇降棚２３を設けることにより、昇降棚２３を安定して設置することができる。
【００２０】
商品収納部５０は、左右の側板２３Ａと、天板２３Ｂと、底板２３Ｃと、背板２３Ｄとを備え、前方が開口２３Ｆする箱形となっている。図２に示すように、昇降棚２３の正面視において底板２３Ｃの前面中央部には、商品収納部５０を前方に移動しつつ下降するように引き出すためのハンドル２３Ｅが備えられる。
【００２１】
商品収納部５０を台座５１に載置したときに前記商品収納部と前記台座とをロックするロック機構を備えていてもよい。この場合、例えば、台座５１の上部及び商品収納部５０の底面にマグネットを設けることにより、ロック機構を構成することができる。また例えば、商品収納部５０を台座５１に載置したときに商品収納部５０の背面と当接する板金などの立ち上がり部材を最上段の棚板２１に設け、この立ち上がり部材の前面及び商品収納部５０の後面にマグネットを設けることにより、ロック機構を構成することができる。また例えば、ロック機構としてラッチを用いてもよい。これらにより、商品収納部を庫内に収容したときに、商品収納部５０と台座５１とがロック機構によりロックされるので、昇降棚２３を安定して庫内に収容できる。
また、ロック機構およびロック解除機構またはラッチなど、商品収納部５０と台座５１とを固定する状態を保持解除する要素部品を備えることによって、不用意な昇降動作を防止することができる。
【００２２】
図２及び図３に示すように、商品収納部５０の左右に配置された側板２３Ａは、前端上部に、上方から斜め前方向に下り傾斜する切欠き部２８を備える。この切欠き部２８を設けることにより、商品収納部５０（昇降棚）を前方に移動しつつ下降するように引き出すときに、庫内３の上部に設けられる冷気の吐出口１３と商品収納部５０とが干渉することを防ぐことができる。冷気の吐出口１３と商品収納部５０とが干渉する範囲を狭めることができるので、商品収納部５０の容積を大きくできる。
【００２３】
図２及び図３に示すように、商品収納部５０はその前面に商品収納部５０に収納された商品が商品収納部５０の昇降動作時に落下しないよう落下防止部材２９を備えている。落下防止部材２９は、商品収納部５０の側板２３Ａの前端部から上方に立ち上がり、背板２３Ｄに平行な面を備えて構成される。落下防止部材２９は、開口２３Ｆの左右方向全体に渡って設けられる。落下防止部材２９は、前方に移動しつつ下降するように引き出しされる商品収納部５０から、商品が前方へ落下することを抑制する効果を有するものであり、落下防止部材２９の高さは、ハンドル２３Ｅを設けること可能な底板２３Ｃの高さと同程度であればこの効果を奏する。
本実施の形態において、落下防止部材２９は、透明なアクリル板により形成されている。
【００２４】
図２に示すように、ショーケース１は、庫内３の背面を形成する仕切板８（背面板）に設けられた孔部に固定され、庫内３の前後に延びるブラケット３１を備える。
左右一対のブラケット３１の内面には、互いが対向するように、一対の支持部材３３が左右対称に取り付けられている。一対の支持部材３３に対して、図２に破線矢印Ａで示すように、揺動移動できるように、昇降棚２３が取り付けられている。
このように、昇降棚２３は、この一対の支持部材３３を介してブラケット３１に固定される。
【００２５】
図２に示すように、最上段の棚板２１より下方に設けられる通常の棚板７は、その下方に通常のブラケットを備える。これに対し、最上端の棚板２１は、一対のブラケット３１の最も下部に固定される。そのため、ブラケット３１が最上段の棚板２１より上方に位置することとなる。一対の支持部材３３は、最上段の棚板２１より上方に配置される。
これにより、最上段の棚板２１より下方に昇降棚２３とブラケット３１とを固定するための一対の支持部材３３を要しないため、最上段の棚板２１より下方の商品を収納しやすい適切な高さの棚板７の上のスペースを広く確保できる。
【００２６】
図５は、支持部材３３を示す。
ここでは、昇降棚２３の図示を省略している。
ブラケット３１はショーケース１の正面視において、断面コ字型である。ブラケット３１の内面には、ハット型に曲げた第１部材４１が固定されている。第１部材４１は、スポット溶接結合により固定される。第２部材４２と第３部材４３は箱型に組み合わされる。そして、第２部材４２が第１部材４１に固定されている。
第３部材４３の外面には、２本のアーム４４、４５の基端部４４Ａ、４５Ａが、それぞれボルト４７を介して、回動自在に連結される。２本のアーム４４、４５は途中から上方に屈曲し、各先端部４４Ｂ、４５Ｂは、図４に示すように、それぞれボルト４８を介して、昇降棚２３の商品収納部５０の側板２３Ａに回動自在に連結されている。
第１部材４１、第２部材、第３部材４３、アーム４４、４５、及び、各ボルト４７は、支持部材３３を構成している。
【００２７】
本実施形態では、図１に示すように、第２の透明扉１９を開いた後に、使用者がハンドル２３Ｅを掴んで、昇降棚２３を手前に引き出すと、昇降棚２３がアーム４４、４５に支持され、破線矢印Ａの揺動軌跡にしたがって、真下の棚板７とほぼ平行となる位置に降下する。この際に、昇降棚２３の前半分は開口部４から外に出て、後半分は開口部４の内側であって最上段の棚板２１の真下の棚板７の前方に位置する。この状態では、昇降棚２３の後方のスペースＳが前方に露出するため、スペースＳへの商品の補充あるいは商品の取り出しが可能となる。
あるいは、スペースＳを設けずに昇降棚２３を図示した位置よりも背面側に設けて、商品収納部５０を下降させても開口部４から外へ出ないようにしても良い。そのように昇降棚２３を配置した場合は、不用意に第２の透明扉１９が閉じる方向へ動いたとしても、商品収納部５０と第２の透明扉１９とが不意に衝突することを避けることができる。
【００２８】
手前に引き出された昇降棚２３は、開口２３Ｆが前方に向いている。そして、真下の棚板７の前方に開口２３Ｆが露出する。
昇降棚２３の降下した位置は、ショーケース１の高さの中程であり、昇降棚２３の前半分はショーケース１の開口部４から外に出ているため、昇降棚２３内への商品の補充あるいは商品の取り出しが容易になる。
【００２９】
また、上述の説明においては、昇降棚２３をショーケース１の上部に配置しているが、昇降棚２３をショーケース１の下部に配置して、ハンドル２３Ｅを引くと商品収納部５０が上昇するように構成されていても良い。この場合商品収納部５０に商品を補充する作業を実施する際など、作業者（使用者）は腰をかがめて作業する必要が無くなり、作業者の負担を軽減することができる。
【００３０】
本実施の形態において、ショーケース１は成人男性の平均身長より高い高さのショーケースであり、使用者の身長によっては、最上段の棚板２１に商品を補充するのが難しく、上の棚はデッドスペースになりやすい。しかし、本実施形態では、昇降棚２３の商品収納部５０を前方に移動しつつ下降するように引き出し可能としたため、本来最上段の棚板２１にあるべき商品収納部５０に商品をストックしやすく、ショーケース１内のスペースが有効活用される。
【００３１】
また、昇降棚２３は、最上段の棚板２１の前方部分に配置される。昇降棚２３の後方にスペースＳが存在し、昇降棚２３商品収納部５０がショーケース１の外に移動するため、昇降棚２３の後方のスペースＳを商品の在庫陳列等に有効利用できる。本実施形態では、昇降棚２３を載置する最上段の棚板２１と、後方のスペースＳの棚を、同一の最上段の棚板２１とし、棚の強度を高めたが、別々の棚としてもよい。最上段の棚板２１と、後方のスペースＳの棚とする場合、昇降棚２３と干渉しない大きさの棚板をさらに設けることにより、在庫商品の種類や大きさ等に合わせて、スペースＳをより有効活用できる。
【００３２】
昇降棚２３を在庫商品のストックとして用いる場合、庫内３であって最上段の棚板２１より上方のスペースは、視認性が必要とされないスペースとなる。そこで、昇降棚２３を庫内に収容している状態において、正面視において昇降棚２３と重なる位置の扉装置６には、商品の広告等を貼る等の広告手段を設けることができる。
【００３３】
以上説明したように、本実施の形態によれば、庫内３に設けられる複数の棚板７と、前面に開口する開口部４と、を備えるショーケース１であって、庫内３に、少なくとも一部が開口部４より外に露出し、かつ昇降する昇降棚２３を備えた。
これによれば、庫内３のスペースを有効活用することが困難な箇所に昇降棚２３を設け、昇降棚２３を昇降させつつ庫内３の前方に引き出すことにより、庫内３のスペースを有効活用することが可能となる。
【００３４】
また、本実施の形態によれば、昇降棚２３は、庫内３に収容されたとき、最上段の棚板２１の上に設けられている。
これによれば、昇降棚２３は、庫内３に収容されたときに最上段の棚板２１の上に設けられるので、昇降棚２３を安定した状態で庫内３に収容できる。
【００３５】
また、本実施の形態によれば、最上段の棚板２１に載置された昇降棚２３は、前方に移動しつつ下降するように引き出し可能とした。
例えばショーケースの庫内であって高さの高い部分に設けられる最上段の棚板に作業者が商品補充作業を行う場合や、消費者が商品を取り出す場合には、棚の奥まで手が届きにくく当該スペースを有効活用することが困難な場合がある。
これによれば、庫内３に収容されたときに最上段の棚板２１の上に設けられる昇降棚２３を前方に引出しつつ下降させるため、昇降棚２３を使用勝手の良い位置に配置可能となり、昇降棚２３に作業者が商品を補充する作業や、消費者が商品を取り出す行為が容易となり、庫内３のスペースを有効活用できる。
【００３６】
また、本実施の形態によれば、庫内３の背面を形成する仕切板８（背面板）に設けられる孔部に固定され、庫内３の前後に延びるブラケット３１を備え、昇降棚２３は、一対の支持部材３３を介してブラケット３１に固定されている。
これによれば、ショーケース１の側壁に固定せずとも昇降棚２３を庫内３に設けることができるため、本実施の形態のように複数の扉を備えており、庫内３の内部が一体の空間とされていて側壁に昇降棚２３を固定することができないショーケースであっても、庫内３に昇降棚２３を設けることができる。
【００３７】
また、本実施の形態によれば、最上段の棚板２１は、ブラケット３１の下部に固定した。
これによれば、最上段の棚板２１はブラケット３１の下部に固定されることから、ブラケット３１は、最上段の棚板２１より上方に配置される。そのため、昇降棚２３とブラケット３１とを固定する一対の支持部材３３を設けるスペースを、最上段の棚板２１より上方に要することなる。すなわち、最上段の棚板２１より下方に一対の支持部材３３を設けるスペースを要しないことから、最上段の棚板２１より下方の商品を収納しやすい適切な高さのスペースを広く確保することができる。
【００３８】
また、本実施の形態によれば、昇降棚２３は、前後方向に移動しつつ昇降可能な商品収納部５０と、商品収納部５０を最上段の棚板２１の上に収容したときに商品収納部５０を支える台座５１と、商品収納部５０を台座５１に収容したときに商品収納部５０と台座５１とをロックするロック機構と、を備えていてもよい。
これによれば、商品収納部５０を庫内３に収容したときには、商品収納部５０と台座５１とがロック機構によりロックされるので、昇降棚２３を安定して庫内３に収容できる。
【００３９】
本実施形態では、第２部材４２と第３部材４３とを箱型に組み合わせて、第３部材４３に各アーム４４、４５を介して、昇降棚２３を取り付けている。そして、第２部材４２をブラケット３１の内面に取り付けるに際し、ブラケット３１の内面に仲介部材として、ハット型に曲げた第１部材４１を介在させている。第１部材４１を仲介部材として介在させたため、薄いブラケット３１の強度が増し、昇降棚２３の支持部材３３の強度を向上させることができる。
【００４０】
本実施形態では、扉装置６が二枚扉で説明したが、一枚扉のショーケースにも適用が可能である。一枚扉のショーケースに適用する場合には、支持部材３３を、両サイドの側壁に設けてもよい。
【００４１】
以上、一実施形態に基づいて本発明を説明したが、本発明は、これに限定されるものではない。
例えば、昇降棚２３は常時上段に配置し、降下させて使用する態様を説明したが、これに限定されず、昇降棚２３を常時下段に配置し、上昇させて使用する態様も可能である。
また、例えば、ショーケース１は冷凍商品や冷蔵商品を収納する低温用のものに限定されず、高温あるいは常温で利用するタイプのショーケース、さらには温度帯を切替えたり、ショーケース１の庫内３に仕切りを設けることによって異なる温度帯の商品収納領域を備えるショーケースであっても良い。
【符号の説明】
【００４２】
１  ショーケース
３  庫内
４  開口部
６  扉装置
７  棚板
８  仕切板（背面板）
２１  最上段の棚板
２３  昇降棚
２３Ｆ  開口
３１  ブラケット
３３  支持部材
４１  第１部材
４２  第２部材
４３  第３部材
４４、４５  アーム
４７、４８  ボルト
５０  商品収納部
５１  台座
Ｓ  スペース
【図１】
2020130196.tif 000003
【図２】
2020130196.tif 000004
【図３】
2020130196.tif 000005
【図４】
2020130196.tif 000006
【図５】
2020130196.tif 000007